(57)【要約】【課題】バッテリーの正確な残存価値をユーザーに分かりやすく表示することができるバッテリー残存価値表示装置を提供する。【解決手段】バッテリー残存価値表示装置は、バッテリー情報受信部と、減衰関数決定部と、第２残存価値決定部と、バッテリーの残存価値を一方の軸とし、バッテリーの製造時期からの経過期間に関する情報を他方の軸とするグラフを出力するグラフ出力部と、表示部とを備える。グラフ出力部は、第１残存価値を示す表示と、残存価値を第２残存価値の高低に応じて複数の残存価値ランクに区分した該残存価値ランクの境界を示す表示と、複数の残存価値ランクを第２残存価値の高低に応じてバッテリーを用いることができる用途の種別を示す複数のグループに区分した該グループの境界を示す表示とをグラフ中に出力する。【選択図】図１
2020169871.tif 000002
【特許請求の範囲】
【請求項１】
残存価値の表示対象であるバッテリーのＳＯＨ（Ｓｔａｔｅ Ｏｆ Ｈｅａｌｔｈ）を示す第１残存価値、該バッテリーの製造時期からの経過期間に関する情報及び該バッテリーの耐用年数に関する情報を受信するバッテリー情報受信部と、
前記バッテリー情報受信部が受信した前記バッテリーの製造時期からの経過期間に関する情報及び該バッテリーの耐用年数に関する情報に基づいて、該バッテリーの前記第１残存価値の補正に用いられる前記バッテリー固有のＳＯＨの経時的な変化を示す減衰関数を決定する減衰関数決定部と、
前記減衰関数を用いて前記第１残存価値を補正した第２残存価値を決定する第２残存価値決定部と、
前記バッテリーの残存価値を一方の軸とし、該バッテリーの製造時期からの経過期間に関する情報を他方の軸とするグラフを出力するグラフ出力部と、
前記グラフ出力部が出力したグラフを表示する表示部とを備え、
前記グラフ出力部は、前記バッテリーの第１残存価値を示す表示と、前記バッテリーの残存価値を前記第２残存価値の高低に応じて複数の残存価値ランクに区分した該残存価値ランクの境界を示す表示と、前記複数の残存価値ランクを前記第２残存価値の高低に応じて前記バッテリーを用いることができる用途の種別を示す複数のグループに区分した該グループの境界を示す表示と、を前記グラフ中に出力するように構成されていることを特徴とするバッテリー残存価値表示装置。
【請求項２】
請求項１に記載のバッテリー残存価値表示装置において、
前記グラフ出力部は、前記用途の種別を示す複数のグループとして少なくとも、前記バッテリーの現在の用途に継続して用いることができることを示す第１グループ、該現在の用途に用いることはできないが他の用途があることを示す第２グループ、及び該現在の用途に用いることはできず他の用途も無いことを示す第３グループに区分するように構成されていることを特徴とするバッテリー残存価値表示装置。
【請求項３】
請求項１又は２に記載のバッテリー残存価値表示装置において、
前記バッテリーの前記第１残存価値と前記減衰関数とを用いて該バッテリーの将来の複数時点における第１残存価値の予測値を算出する将来残存価値算出部を備え、
前記グラフ出力部は、前記将来残存価値算出部が算出した前記将来の複数時点における第１残存価値の予測値を示す表示を前記グラフ中に出力するように構成されていることを特徴とするバッテリー残存価値表示装置。
【請求項４】
表示部を備えるコンピューターが実行する、バッテリー残存価値表示方法であって、
残存価値の表示対象であるバッテリーのＳＯＨ（Ｓｔａｔｅ Ｏｆ Ｈｅａｌｔｈ）を示す第１残存価値、該バッテリーの製造時期からの経過期間に関する情報及び該バッテリーの耐用年数に関する情報を受信するバッテリー情報受信工程と、
前記バッテリー情報受信工程にて受信された前記バッテリーの製造時期からの経過期間に関する情報及び該バッテリーの耐用年数に関する情報に基づいて、該バッテリーの前記第１残存価値の補正に用いられる前記バッテリー固有のＳＯＨの経時的な変化を示す減衰関数を決定する減衰関数決定工程と、
前記減衰関数を用いて前記第１残存価値を補正した第２残存価値を決定する第２残存価値決定工程と、
前記バッテリーの残存価値を一方の軸とし、該バッテリーの製造時期からの経過期間に関する情報を他方の軸とするグラフを前記表示部に出力するグラフ出力工程とを含み、
前記グラフ出力工程は、前記バッテリーの第１残存価値を示す表示と、前記バッテリーの残存価値を前記第２残存価値の高低に応じて複数の残存価値ランクに区分した該残存価値ランクの境界を示す表示と、前記複数の残存価値ランクを前記第２残存価値の高低に応じて前記バッテリーを用いることができる用途の種別を示す複数のグループに区分した該グループの境界を示す表示と、を前記グラフ中に出力する工程を含むことを特徴とするバッテリー残存価値表示方法。
【発明の詳細な説明】
【技術分野】
【０００１】
本発明は、バッテリーの残存価値を表示する装置に関する。
【背景技術】
【０００２】
従来、電気自動車やハイブリッド車の残存価値を決定するシステムが知られている。（特許文献１参照）。
【０００３】
特許文献１のシステムによれば、電気自動車やハイブリッド車の残存価値を決定するための、バッテリーの劣化パラメータに基づいた二次電池の残存価値を決定することができる。
【先行技術文献】
【特許文献】
【０００４】
【特許文献１】特開２００６−１９７７６５号公報
【発明の概要】
【発明が解決しようとする課題】
【０００５】
電気自動車やハイブリッド車の残存価値の決定において、駆動用バッテリーの残存価値は重要な要素であるので、バッテリーの正確な残存価値をユーザーに分かりやすく知らせられることが強く望まれる。
【０００６】
しかしながら、特許文献１のシステムは、劣化パラメータに基づいて二次電池の残存価値を決定するとされているものの、決定された残存価値をユーザーに分かりやすく表示することが考慮されていない。
【０００７】
結果として、特許文献１のシステムでは、決定された残存価値をユーザーに分かりやすく知らせることができない。
【０００８】
本発明の目的は、かかる従来技術の課題に鑑み、バッテリーの正確な残存価値をユーザーに分かりやすく表示することができるバッテリー残存価値表示装置を提供することにある。
【課題を解決するための手段】
【０００９】
本発明のバッテリー残存価値表示装置は、
残存価値の表示対象であるバッテリーのＳＯＨ（Ｓｔａｔｅ Ｏｆ Ｈｅａｌｔｈ）を示す第１残存価値、該バッテリーの製造時期からの経過期間に関する情報及び該バッテリーの耐用年数に関する情報を受信するバッテリー情報受信部と、
前記バッテリー情報受信部が受信した前記バッテリーの製造時期からの経過期間に関する情報及び該バッテリーの耐用年数に関する情報に基づいて、該バッテリーの前記第１残存価値の補正に用いられる前記バッテリー固有のＳＯＨの経時的な変化を示す減衰関数を決定する減衰関数決定部と、
前記減衰関数を用いて前記第１残存価値を補正した第２残存価値を決定する第２残存価値決定部と、
前記バッテリーの残存価値を一方の軸とし、該バッテリーの製造時期からの経過期間に関する情報を他方の軸とするグラフを出力するグラフ出力部と、
前記グラフ出力部が出力したグラフを表示する表示部とを備え、
前記グラフ出力部は、前記バッテリーの第１残存価値を示す表示と、前記バッテリーの残存価値を前記第２残存価値の高低に応じて複数の残存価値ランクに区分した該残存価値ランクの境界を示す表示と、前記複数の残存価値ランクを前記第２残存価値の高低に応じて前記バッテリーを用いることができる用途の種別を示す複数のグループに区分した該グループの境界を示す表示と、を前記グラフ中に出力するように構成されていることを特徴とする。
【００１０】
残存価値の表示対象であるバッテリーのＳＯＨ（Ｓｔａｔｅ Ｏｆ Ｈｅａｌｔｈ）の値が同一であっても、バッテリーが製造されてから測定時点までの経過期間の長さによって、その後の当該バッテリーの劣化の進行速度は大きく異なり、結果として当該バッテリーの残存価値も大きく異なる。そのため、正確なバッテリーの残存価値をユーザーに知らせるためには、バッテリーの古さ、たとえば製造時期からの経過期間を考慮する必要がある。
【００１１】
本発明のバッテリー残存価値表示装置においては、バッテリー情報受信部により、残存価値の表示対象であるバッテリーのＳＯＨを示す第１残存価値、該バッテリーの製造時期からの経過期間に関する情報及び該バッテリーの耐用年数に関する情報が受信される。
【００１２】
そしてバッテリー情報受信部により受信されたバッテリーの製造時期からの経過期間に関する情報及び該バッテリーの耐用年数に関する情報に基づいて、該バッテリーの第１残存価値の補正に用いられるバッテリー固有のＳＯＨの経時的な変化を示す減衰関数が減衰関数決定部により決定される。
【００１３】
そして第２残存価値決定部により、減衰関数を用いて第１残存価値を補正した第２残存価値が決定される。
【００１４】
これにより、ユーザーは、バッテリーの古さを考慮した、当該バッテリーの正確な残存価値を知ることができる。
【００１５】
また、グラフ出力部により、バッテリーの残存価値を一方の軸とし、該バッテリーの製造時期からの経過期間に関する情報を他方の軸とするグラフが出力されて、表示部に表示される。
【００１６】
なお、グラフ出力部により、バッテリーの第１残存価値を示す表示と、バッテリーの残存価値を第２残存価値の高低に応じて複数の残存価値ランクに区分した該残存価値ランクの境界を示す表示と、複数の残存価値ランクを第２残存価値の高低に応じてバッテリーを用いることができる用途の種別を示す複数のグループに区分した該グループの境界を示す表示とがグラフ中に出力される。
【００１７】
これにより、当該バッテリーの正確な残存価値がビジュアル化されて表示されるので、ユーザーに、バッテリーの正確な残存価値を直感的に知らせることができる。
【００１８】
このように、本発明によれば、バッテリーの正確な残存価値をユーザーに分かりやすく表示することができる。
【００１９】
本発明のバッテリー残存価値表示装置において、
前記グラフ出力部は、前記用途の種別を示す複数のグループとして少なくとも、前記バッテリーの現在の用途に継続して用いることができることを示す第１グループ、該現在の用途に用いることはできないが他の用途があることを示す第２グループ、及び該現在の用途に用いることはできず他の用途も無いことを示す第３グループに区分するように構成されていることが好ましい。
【００２０】
本発明のバッテリー残存価値表示装置においては、グラフ出力部により、用途の種別を示す複数のグループとして少なくとも、バッテリーの現在の用途に継続して用いることができることを示す第１グループ、該現在の用途に用いることはできないが他の用途があることを示す第２グループ、及び該現在の用途に用いることはできず他の用途も無いことを示す第３グループに区分されて出力される。
【００２１】
これにより、残存価値の表示対象であるバッテリーを現在の用途のままで継続して利用できるか否か、あるいは廃棄する以外の利用方法があるかを、本発明のバッテリー残存価値表示装置のユーザーに分かりやすく知らせることができる。
【００２２】
このように、本発明によれば、バッテリーの残存価値とそれに応じたバッテリーの用途をユーザーに分かりやすく表示することができる。
【００２３】
本発明のバッテリー残存価値表示装置において、
前記バッテリーの前記第１残存価値と前記減衰関数とを用いて該バッテリーの将来の複数時点における第１残存価値の予測値を算出する将来残存価値算出部を備え、
前記グラフ出力部は、前記将来残存価値算出部が算出した前記将来の複数時点における第１残存価値の予測値を示す表示を前記グラフ中に出力するように構成されていることが好ましい。
【００２４】
本発明のバッテリー残存価値表示装置においては、将来残存価値算出部により、バッテリーの前記第１残存価値と前記減衰係数とを用いて該バッテリーの将来の複数時点における第１残存価値の予測値が算出される。
【００２５】
そして、グラフ出力部により、将来残存価値算出部により算出された将来の複数時点における第１残存価値の予測値を示す表示がグラフ中に出力される。
【００２６】
これにより、ユーザーは、バッテリーの現在及び将来の残存価値を直感的に知ることができる。
【００２７】
このように、本発明によれば、バッテリーの現在及び将来の残存価値をユーザーに分かりやすく表示することができる。
【図面の簡単な説明】
【００２８】
【図１】バッテリー残存価値表示装置の全体構成を示すブロック図。
【図２】バッテリー残存価値表示装置による処理の内容を示すフローチャート。
【図３Ａ】バッテリー残存価値表示装置の出力の内容の一例を示す図。
【図３Ｂ】バッテリー残存価値表示装置の出力の内容の他の例を示す図。
【発明を実施するための形態】
【００２９】
図を用いて、本実施形態のバッテリー残存価値表示装置について説明する。なお同一の構成については、同一の符号を付して説明を省略することがある。
【００３０】
まず、図１を参照して、本実施形態のバッテリー残存価値表示装置の構成を説明する。本実施形態のバッテリー残存価値表示装置は、ユーザー装置１０により構成される。
【００３１】
ユーザー装置１０は、ユーザー装置制御部１１０と、表示部１３０と、入力部１５０とを備える、例えばコンピューターである。ユーザー装置１０は、バッテリーの残存価値の表示に用いられる専用端末でもよいし、パーソナルコンピューター、スマートフォン、タブレット端末などの汎用的な装置でもよい。
【００３２】
ユーザー装置制御部１１０は、ＣＰＵ（Ｃｅｎｔｒａｌ  Ｐｒｏｃｅｓｓｉｎｇ  Ｕｎｉｔ）等の演算処理装置、メモリ、及びＩ／Ｏ（Ｉｎｐｕｔ／Ｏｕｔｐｕｔ）デバイスなどにより構成されている。ユーザー装置制御部１１０は、所定のプログラムを読み込んで実行することにより、バッテリー情報受信部１１１、減衰関数決定部１１３、第２残存価値決定部１１５、グラフ出力部１１７、将来残存価値算出部１１９として機能する。
【００３３】
バッテリー情報受信部１１１は、残存価値の表示対象であるバッテリーのＳＯＨ（Ｓｔａｔｅ Ｏｆ Ｈｅａｌｔｈ）を示す第１残存価値、該バッテリーの製造時期からの経過期間に関する情報及び該バッテリーの耐用年数に関する情報を例えばバッテリー情報提供装置３０から受信する。
【００３４】
バッテリー情報提供装置３０としては、バッテリーから該バッテリーのＳＯＨを決定するための情報を取得して、該情報に基づいて該バッテリーのＳＯＨを決定し、該バッテリーの製造時期からの経過期間に関する情報及び該バッテリーの耐用年数に関する情報とともにバッテリー情報受信部１１１に提供するあらゆる機構が用いられうる。
【００３５】
減衰関数決定部１１３は、バッテリー情報受信部１１１が受信したバッテリーの製造時期からの経過期間に関する情報及び該バッテリーの耐用年数に関する情報に基づいて、該バッテリーの第１残存価値の補正に用いられるバッテリー固有のＳＯＨの経時的な変化を示す減衰関数を決定する。
【００３６】
第２残存価値決定部１１５は、減衰関数を用いて第１残存価値を補正した第２残存価値を決定する。
【００３７】
グラフ出力部１１７は、バッテリーの残存価値を一方の軸とし、該バッテリーの製造時期からの経過期間に関する情報を他方の軸とするグラフを出力する。
【００３８】
将来残存価値算出部１１９は、バッテリーの第１残存価値と減衰係数とを用いて該バッテリーの将来の複数時点における第１残存価値の予測値を算出する。
【００３９】
表示部１３０は、グラフ出力部１１７が出力したグラフを表示する。
【００４０】
入力部１５０は、ユーザーＵによるユーザー装置１０に対する操作の入力を受け付ける、例えばスイッチ、ボタン、タッチパネル、キーボード及びマウス、又はマイクである。
【００４１】
＜バッテリー残存価値表示装置の処理概要＞
次に、図２を用いてバッテリー残存価値表示装置の処理概要の一例について説明する。
【００４２】
まず、ユーザーＵの操作に応じて、残存価値の決定対象であるバッテリーの電圧、電流、温度、バッテリーの製造時期からの経過期間に関する情報及び該バッテリーの耐用年数に関する情報を受信するバッテリー情報受信処理が実行される（図２／Ｓ１１０）。
【００４３】
次に、バッテリー情報受信部１１１が受信したバッテリーの製造時期からの経過期間に関する情報及び該バッテリーの耐用年数に関する情報に基づいて、該バッテリーの第１残存価値の補正に用いられるバッテリー固有のＳＯＨの経時的な変化を示す減衰関数を決定する減衰関数決定処理が実行される（図２／Ｓ１３０）。
【００４４】
続いて、減衰関数を用いて第１残存価値を補正した第２残存価値を決定する第２残存価値決定処理が実行される（図２／Ｓ１５０）。
【００４５】
次に必要に応じて、バッテリーの第１残存価値と減衰係数とを用いて該バッテリーの将来の複数時点における第１残存価値の予測値を算出する将来残存価値算出処理が実行される（図２／Ｓ１７０）。
【００４６】
そして、バッテリーの残存価値を一方の軸とし、該バッテリーの製造時期からの経過期間に関する情報を他方の軸とするグラフを表示部１３０に出力するグラフ出力処理が実行されて（図２／Ｓ１９０）、バッテリー残存価値表示装置による一連の処理は終了する。
【００４７】
次に、図３Ａ〜図３Ｂを参照しながら、各処理の内容について説明する。
【００４８】
＜バッテリー情報受信処理＞
ユーザーＵの操作に応じてユーザー装置１０が起動され、例えばユーザー装置１０とバッテリー情報提供装置３０とが接続された状態でバッテリー情報受信処理を開始させる操作が行われることにより、バッテリー情報受信処理が開始される。
【００４９】
バッテリー情報受信処理を開始するとバッテリー情報受信部１１１は、バッテリー情報提供装置３０から、残存価値の表示対象であるバッテリーのＳＯＨを示す第１残存価値、該バッテリーの製造時期からの経過期間に関する情報及び該バッテリーの耐用年数に関する情報を受信して処理を終了する。
【００５０】
＜減衰関数決定処理＞
減衰関数決定処理は、例えばバッテリー情報受信処理が終了することにより開始される。
【００５１】
減衰関数決定処理が開始されると、減衰関数決定部１１３は、バッテリー情報受信部１１１が受信したバッテリーの製造時期からの経過期間に関する情報及び該バッテリーの耐用年数に関する情報に基づいて、該バッテリーの前記第１残存価値の補正に用いられるバッテリー固有のＳＯＨの経時的な変化を示す減衰関数を決定する。
【００５２】
このとき減衰関数決定部１１３により決定される減衰関数は、バッテリー固有のＳＯＨの経時的な変化を示す関数であれば、例えばバッテリーの製造時期からの経過期間に関する情報及び該バッテリーの耐用年数に関する情報を変数とする一次式あるいは多次式でもよいし、その他の変数をさらに用いる関数でもよく、あるいはバッテリーの製造時期からの経過期間及び該バッテリーの耐用年数に関する情報とＳＯＨとの相関関係を分析したモデル又は近似式などの種々の手法が用いられうるところであるが、本実施例において減衰関数は、例えば以下のようなシグモイド関数式で表される。
【００５３】
【数１】
2020169871.tif 000003
【００５４】
ただし、ｙはバッテリーの減衰係数であり、ａは定数であり、ｂはバッテリーの耐用年数を示す値であり、ｅはネイピア数であり、ｘはバッテリーの製造時期からの経過期間を年数で示す値である。
【００５５】
減衰関数決定部１１３は、例えばユーザー装置１０にあらかじめ記憶されている定数ａを取得し、該取得した定数ａと、バッテリー情報受信部１１１がバッテリー情報提供装置３０から受信した情報に含まれるバッテリーの耐用年数を示す値と、バッテリー情報受信部１１１がバッテリー情報提供装置３０から受信したバッテリーの製造時期からの経過期間を示す情報を年数に換算した値とを用いて減衰関数を決定する。
【００５６】
そして、減衰関数決定部１１３は、上記式（１）を用いて減衰係数ｙを決定して、処理を終了する。
【００５７】
バッテリーの残存価値を決定する上で、当該バッテリーの将来的なメンテナンスコストの多寡は重要な要素である。そして、バッテリーは、耐用年数を経過した後に故障した場合には、メーカーの保証を受けることができず、メンテナンスコストを当該バッテリーの所有者等自らが負担することとなる。そのため、残存価値の決定対象であるバッテリーの製造時期からの経過期間と、当該バッテリーの耐用年数とは、バッテリーの残存価値を正確に決定する際の重要な要素である。
【００５８】
また、バッテリーの残存価値は、製造時期からの経過期間に応じて必ずしも直線的には低下しない。販売直後に、すなわち新品の状態を脱したタイミングで若干低下した後に、まだ新品同様である一定の初期段階においてはなだらかに低下し、その後メーカーによる無償修理を受けることができなくなる耐用年数に向けて急速に低下していく。
【００５９】
そしてバッテリーの残存価値は、耐用年数の経過後も急激な低下を続けるが、一方で、最終的にバッテリーとしての用途に用いることができなくとも、バッテリーに含まれるレアメタルなどをリサイクルすることができるので、残存価値がなくなることはないため、バッテリー寿命の最終局面においては、バッテリーの残存価値の低下速度は逓減していく。
【００６０】
すなわちバッテリーの残存価値は、初期段階において緩やかに低下し、その後急激に低下するものの、その寿命の最終局面においては一定程度の残存価値を維持し続けるというカーブを描きながら変化することがより現実的である。
【００６１】
本実施形態においては、上記式（１）を減衰関数として用いるので、上記のようなバッテリーの残存価値の経時的な変化のカーブを簡便に近似することができる。
【００６２】
＜第２残存価値決定処理＞
第２残存価値決定処理は、減衰関数決定処理が終了することにより開始される。
【００６３】
第２残存価値決定処理が開始されると、第２残存価値決定部１１５は、バッテリー情報受信部１１１により受信されたバッテリーの第１残存価値に、減衰関数決定処理にて決定された減衰係数ｙを乗じた値を当該バッテリーの第２残存価値として決定して処理を終了する。
【００６４】
これにより、ユーザーＵは、バッテリーの古さを考慮した、当該バッテリーの正確な残存価値を知ることができる。
【００６５】
＜将来残存価値算出処理＞
将来残存価値算出処理は、第２残存価値決定処理の終了後に必要に応じて開始される。
【００６６】
将来残存価値算出処理が開始されると、将来残存価値算出部１１９は、バッテリーの第１残存価値と減衰係数とを用いて該バッテリーの将来の複数時点における第１残存価値の予測値を算出して処理を終了する。
【００６７】
これにより、残存価値の決定対象であるバッテリーの将来的な残存価値の変化の推定結果を、本発明のバッテリー残存価値表示装置のユーザーＵに分かりやすく知らせることができる。
【００６８】
より具体的に以下により、上記式（１）の定数ａが０．４であり、バッテリーの耐用年数を示す値ｂが１０（年）であり、処理時点におけるバッテリーの製造時期からの経過期間が２（年）であって、バッテリー情報受信部１１１により受信された該バッテリーの第１残存価値が０．９５００である場合について説明する。
【００６９】
この場合、上記式（１）による計算結果を小数点以下第４位まで計算すると０．９６０８となるが、バッテリー情報受信部１１１により受信された該バッテリーの第１残存価値が０．９５００であるので、将来残存価値算出部１１９は、該バッテリーのＳＯＨの低下が計算上の理論値よりも０．０１０８ほど進んでいることを考慮して、該バッテリーの将来の複数時点における第１残存価値の予測値を算出する。
【００７０】
すなわち例えば将来残存価値算出部１１９は、３年目の該バッテリーの第１残存価値の推定値を上記式（１）にて小数点以下第４位まで計算すると０．９４２７となるが、当該値をバッテリー情報受信部１１１により受信された該バッテリーの第１残存価値（０．９５００）と、該バッテリーのＳＯＨの計算上の理論値（０．９６０８）との差異を考慮して、例えば
３年目の第１残存価値の推定値＝０．９４２７×（０．９５００÷０．９６０８）
＝０．９３２０
と計算する。
【００７１】
そして将来残存価値算出部１１９は、４年目から、例えば耐用年数の２倍の年まで（本実施例においては２０年目まで）の第１残存価値の予測値を算出する。
【００７２】
＜グラフ出力処理＞
グラフ出力処理は、第２残存価値出力処理が終了することにより、あるいは将来残存価値算出処理が実行される場合には将来残存価値算出処理が終了した後に開始される。
【００７３】
グラフ出力処理が開始されると、グラフ出力部１１７は、残存価値の表示対象であるバッテリーの残存価値を縦軸とし、該バッテリーの製造時期からの経過期間に関する情報を横軸とするグラフを示す情報を出力して処理を終了する。
【００７４】
なおグラフ出力部１１７は、バッテリーの第１残存価値を示す表示と、バッテリーの残存価値を第２残存価値の高低に応じて複数の残存価値ランクに区分した該残存価値ランクの境界を示す表示と、複数の残存価値ランクを第２残存価値の高低に応じてバッテリーを用いることができる用途の種別を示す複数のグループに区分した該グループの境界を示す表示とをグラフ中に出力する。
【００７５】
これにより、当該バッテリーの正確な残存価値がビジュアル化されて表示されるので、ユーザーに、バッテリーの正確な残存価値を直感的に知らせることができる。
【００７６】
なおこの時、グラフ出力部１１７は、用途の種別を示す複数のグループとして少なくとも、バッテリーの現在の用途に継続して用いることができることを示す第１グループ、現在の用途に用いることはできないが他の用途があることを示す第２グループ、及び現在の用途に用いることはできず他の用途も無いことを示す第３グループに区分した該グループの境界を示す表示をグラフ中に含めて出力する。
【００７７】
これにより、残存価値の表示対象であるバッテリーを現在の用途のままで継続して利用できるか否か、あるいは廃棄する以外の利用方法があるかを、本発明のバッテリー残存価値表示装置のユーザーＵに分かりやすく知らせることができる。
【００７８】
グラフ出力部１１７は、例えば図３Ａに示すようなグラフＧｒａ１を表示部１３０に表示する。
【００７９】
図３Ａは、残存価値の表示対象であるバッテリーの第１残存価値を％を単位として表した値を縦軸とし、該バッテリーの製造時期からの経過期間（以下経過期間という。）を年を単位として表した値を横軸とするグラフＧｒａ１である。
【００８０】
該グラフＧｒａ１には、バッテリーの第２残存価値の値に応じて、１００％〜９５％、９５％未満〜９０％…と５％刻みのランクに区分した該残存価値ランクの境界を示す表示としての境界線Ｌｉｎ１、Ｌｉｎ２…Ｌｉｎ１９が含まれている。
【００８１】
例えば境界線Ｌｉｎ１は、バッテリーの第１残存価値を第２残存価値に補正した結果の値が１００％〜９５％の残存価値ランクとなるために、各経過期間において第１残存価値の値が何％以上である必要があるかの境界を示している。
【００８２】
より具体的には、経過期間が１年の場合においては、境界線Ｌｉｎ１の境界における第１残存価値の値は９２．４７％である。この値は、９５％に経過期間が１年の場合の減衰係数（０．９７３４）を掛け合わせた値である。
【００８３】
同様に、経過期間が２年以降の各場合における、境界線Ｌｉｎ１の境界における第１残存価値の値がグラフ出力処理において計算され、これらの各経過期間における値をつなぎ合わせた境界線Ｌｉｎ１がグラフＧｒａ１に含まれている。
【００８４】
同様の方法で計算された結果である境界線Ｌｉｎ２…Ｌｉｎ１９が、各残存価値ランクの境界を示す表示としてグラフＧｒａ１に含まれている。
【００８５】
また、グラフＧｒａ１には、残存価値の決定対象であるバッテリーの第１残存価値を示す表示Ｖａｌ１が含まれている。本実施形態においては、当該表示Ｖａｌ１により、使用期間が２年であり、第１残存価値を％を単位として表した値が９５％であることが示されている。
【００８６】
また、グラフＧｒａ１には、残存価値ランクを第２残存価値の高低に応じて、残存価値の決定対象であるバッテリーを用いることができる用途の種別を示す３つのグループに区分した該グループの境界を示す表示Ｇｒｐ１、Ｇｒｐ２、Ｇｒｐ３が含まれている。
【００８７】
本実施形態においては、表示Ｇｒｐ１は、バッテリーの現在の用途に継続して用いることができることを示す第１グループに含まれる範囲を示しており、当該範囲には、第２残存価値が７５%以上のバッテリーが含まれる。
【００８８】
そして表示Ｇｒｐ２は、現在の用途に用いることはできないが他の用途があることを示す第２グループに含まれる範囲を示しており、当該範囲には、第２残存価値が７５%未満〜３０以上のバッテリーが含まれる。
【００８９】
そして表示Ｇｒｐ３は、現在の用途に用いることはできず他の用途も無いことを示す第３グループに含まれる範囲を示しており、当該範囲には、第２残存価値が３０%未満のバッテリーが含まれる。
【００９０】
また、グラフＧｒａ１には、将来残存価値推定部３２１が推定した、残存価値の決定対象であるバッテリーの将来の複数時点における第１残存価値を示す表示Ｅｓｔが含まれている。
【００９１】
さらに、グラフＧｒａ１には、図３Ａに示されるように、該バッテリーの、処理時点における第２残存価値を示す表示Ｖａｌ２が含まれていてもよい。
【００９２】
また、図３Ｂは、減衰関数決定部１１３が、上記の（１）の式に替えて下記の一次式（２）を減衰関数として用いて減衰係数を決定するように構成されている場合のグラフＧｒａ２の内容を示している。
【００９３】
ｙ＝１−x・（１−ｃ）／２ｂ…（２）
【００９４】
ただし、ｙはバッテリーの減衰係数であり、ｂはバッテリーの耐用年数で示す値であり、ｃはバッテリーの耐用年数の２倍の期間経過後の第１残存価値の残存率を示す値であり、ｘはバッテリーの製造時期からの経過期間を示す値である。なお図３Ｂにおいては、ｂを１０（年）、ｃを３０％として計算している。
【００９５】
以上説明したように、本発明によれば、バッテリーの正確な残存価値をユーザーに分かりやすく表示することができるバッテリー残存価値表示装置を提供することができる。
【００９６】
以上、本発明の実施形態について説明したが、本発明はこれに限定されない。本発明の趣旨を逸脱しない範囲で、種々の変更が可能である。
【００９７】
例えば、上記においてはバッテリー情報受信部１１１は、残存価値の表示対象であるバッテリーのＳＯＨを示す第１残存価値、該バッテリーの製造時期からの経過期間に関する情報及び該バッテリーの耐用年数に関する情報をバッテリー情報提供装置３０から受信する構成について説明したが、これに限定されない。
【００９８】
例えばバッテリー情報受信部１１１は、入力部１５０を介して、ユーザーＵ自身の操作による残存価値の表示対象であるバッテリーのＳＯＨを示す第１残存価値、該バッテリーの製造時期からの経過期間及び該バッテリーの耐用年数に関する情報に関する情報の入力を受け付けるように構成されていてもよい。
【００９９】
また、上記においてグラフ出力部１１７が、バッテリーの残存価値を第２残存価値の高低に応じて複数の残存価値ランクに区分した該残存価値ランクの境界を曲線にて表示するように構成されている場合について説明したが、これに限定されない。
【０１００】
例えば、グラフ出力部１１７は、バッテリーの残存価値を第２残存価値の高低に応じて複数の残存価値ランクに区分した該残存価値ランクの境界を、相互に隣り合う残存価値ランクを示す領域を異なる色彩、柄、明るさで出力することにより、表示するように構成されていてもよい。
【０１０１】
また、上記においてグラフ出力部１１７が、バッテリーの処理時点における第２残存価値の値を、％を単位としてグラフ中に表示するように構成されている場合について説明したが、これに限定されない。
【０１０２】
例えば、グラフ出力部１１７は、第２残存価値の値を％を単位として表示することに加えて又は替えて、該第２残存価値に対応したランクを表す文字（１００％〜９５％の場合はＡランク、など）又は数字（９５％未満〜９０％以上の場合は５段階評価の４とする、など）、その他の記号をグラフ中に表示するように構成されていてもよい。
【符号の説明】
【０１０３】
１０…ユーザー装置、１１１…バッテリー情報受信部、１１３…減衰関数決定部、１１５…第２残存価値決定部、１１７…グラフ出力部、１１９…将来残存価値算出部、１３０…表示部。
【図１】
2020169871.tif 000004
【図２】
2020169871.tif 000005
【図３Ａ】
2020169871.tif 000006
【図３Ｂ】
2020169871.tif 000007
【手続補正書】
【提出日】令和2年4月10日(2020.4.10)
【手続補正１】
【補正対象書類名】特許請求の範囲
【補正対象項目名】全文
【補正方法】変更
【補正の内容】
【特許請求の範囲】
【請求項１】
残存価値の表示対象であるバッテリーのＳＯＨ（Ｓｔａｔｅ Ｏｆ Ｈｅａｌｔｈ）を示す第１残存価値、該バッテリーの製造時期からの経過期間に関する情報及び該バッテリーの耐用年数に関する情報を受信するバッテリー情報受信部と、
前記バッテリー情報受信部が受信した前記バッテリーの製造時期からの経過期間に関する情報及び該バッテリーの耐用年数に関する情報と、該バッテリー固有のＳＯＨの経時的な変化を示す減衰関数と、を用いて該バッテリーの前記第１残存価値の補正に用いられる減衰係数を決定する減衰関数決定部と、
前記減衰係数を用いて前記第１残存価値を補正した第２残存価値を決定する第２残存価値決定部と、
前記バッテリーの残存価値を一方の軸とし、該バッテリーの製造時期からの経過期間に関する情報を他方の軸とするグラフを出力するグラフ出力部と、
前記グラフ出力部が出力したグラフを表示する表示部とを備え、
前記グラフ出力部は、前記バッテリーの第１残存価値を示す表示と、前記バッテリーの残存価値を前記第２残存価値の高低に応じて複数の残存価値ランクに区分した該残存価値ランクの境界を示す表示と、前記複数の残存価値ランクを前記第２残存価値の高低に応じて前記バッテリーを用いることができる用途の種別を示す複数のグループに区分した該グループの境界を示す表示と、を前記グラフ中に出力するように構成されていることを特徴とするバッテリー残存価値表示装置。
【請求項２】
請求項１に記載のバッテリー残存価値表示装置において、
前記グラフ出力部は、前記用途の種別を示す複数のグループとして少なくとも、前記バッテリーの現在の用途に継続して用いることができることを示す第１グループ、該現在の用途に用いることはできないが他の用途があることを示す第２グループ、及び該現在の用途に用いることはできず他の用途も無いことを示す第３グループに区分するように構成されていることを特徴とするバッテリー残存価値表示装置。
【請求項３】
請求項１又は２に記載のバッテリー残存価値表示装置において、
前記バッテリーの前記第１残存価値と前記減衰関数とを用いて該バッテリーの将来の複数時点における第１残存価値の予測値を算出する将来残存価値算出部を備え、
前記グラフ出力部は、前記将来残存価値算出部が算出した前記将来の複数時点における第１残存価値の予測値を示す表示を前記グラフ中に出力するように構成されていることを特徴とするバッテリー残存価値表示装置。
【請求項４】
表示部を備えるコンピューターが実行する、バッテリー残存価値表示方法であって、
残存価値の表示対象であるバッテリーのＳＯＨ（Ｓｔａｔｅ Ｏｆ Ｈｅａｌｔｈ）を示す第１残存価値、該バッテリーの製造時期からの経過期間に関する情報及び該バッテリーの耐用年数に関する情報を受信するバッテリー情報受信工程と、
前記バッテリー情報受信工程にて受信された前記バッテリーの製造時期からの経過期間に関する情報及び該バッテリーの耐用年数に関する情報と、該バッテリー固有のＳＯＨの経時的な変化を示す減衰関数と、を用いて該バッテリーの前記第１残存価値の補正に用いられる減衰係数を決定する減衰関数決定工程と、
前記減衰係数を用いて前記第１残存価値を補正した第２残存価値を決定する第２残存価値決定工程と、
前記バッテリーの残存価値を一方の軸とし、該バッテリーの製造時期からの経過期間に関する情報を他方の軸とするグラフを前記表示部に出力するグラフ出力工程とを含み、
前記グラフ出力工程は、前記バッテリーの第１残存価値を示す表示と、前記バッテリーの残存価値を前記第２残存価値の高低に応じて複数の残存価値ランクに区分した該残存価値ランクの境界を示す表示と、前記複数の残存価値ランクを前記第２残存価値の高低に応じて前記バッテリーを用いることができる用途の種別を示す複数のグループに区分した該グループの境界を示す表示と、を前記グラフ中に出力する工程を含むことを特徴とするバッテリー残存価値表示方法。
【手続補正２】
【補正対象書類名】明細書
【補正対象項目名】０００９
【補正方法】変更
【補正の内容】
【０００９】
本発明のバッテリー残存価値表示装置は、
残存価値の表示対象であるバッテリーのＳＯＨ（Ｓｔａｔｅ Ｏｆ Ｈｅａｌｔｈ）を示す第１残存価値、該バッテリーの製造時期からの経過期間に関する情報及び該バッテリーの耐用年数に関する情報を受信するバッテリー情報受信部と、
前記バッテリー情報受信部が受信した前記バッテリーの製造時期からの経過期間に関する情報及び該バッテリーの耐用年数に関する情報と、該バッテリー固有のＳＯＨの経時的な変化を示す減衰関数と、を用いて該バッテリーの前記第１残存価値の補正に用いられる減衰係数を決定する減衰関数決定部と、
前記減衰係数を用いて前記第１残存価値を補正した第２残存価値を決定する第２残存価値決定部と、
前記バッテリーの残存価値を一方の軸とし、該バッテリーの製造時期からの経過期間に関する情報を他方の軸とするグラフを出力するグラフ出力部と、
前記グラフ出力部が出力したグラフを表示する表示部とを備え、
前記グラフ出力部は、前記バッテリーの第１残存価値を示す表示と、前記バッテリーの残存価値を前記第２残存価値の高低に応じて複数の残存価値ランクに区分した該残存価値ランクの境界を示す表示と、前記複数の残存価値ランクを前記第２残存価値の高低に応じて前記バッテリーを用いることができる用途の種別を示す複数のグループに区分した該グループの境界を示す表示と、を前記グラフ中に出力するように構成されていることを特徴とする。
【手続補正３】
【補正対象書類名】明細書
【補正対象項目名】００１２
【補正方法】変更
【補正の内容】
【００１２】
そしてバッテリー情報受信部により受信されたバッテリーの製造時期からの経過期間に関する情報及び該バッテリーの耐用年数に関する情報と、該バッテリー固有のＳＯＨの経時的な変化を示す減衰関数と、を用いて該バッテリーの前記第１残存価値の補正に用いられる減衰係数が減衰関数決定部により決定される。
【手続補正４】
【補正対象書類名】明細書
【補正対象項目名】００１３
【補正方法】変更
【補正の内容】
【００１３】
そして第２残存価値決定部により、減衰係数を用いて第１残存価値を補正した第２残存価値が決定される。